(57)【要約】【課題】容器の内容液中に挿入され、常に正立状態で浮遊する装飾体を提供すること。【解決手段】少なくとも一部が透明または半透明な容器の透明または半透明な液を含む内容液中に挿入される装飾体であって、該装飾体が、シート、フィルムまたは薄肉の板状の成形体から形成され、可撓性を有し、上下に比重差を有していることを特徴とする。【選択図】        図１
2004292033.tif 000002
【特許請求の範囲】
【請求項１】
少なくとも一部が透明または半透明な容器の透明または半透明な液を含む内容液中に挿入される装飾体であって、
該装飾体が、上下に比重差を有していることを特徴とする装飾体。
【請求項２】
装飾体が、シート、フィルムまたは薄肉の板状の成形体から形成され、可撓性を有することを特徴とする請求項１記載の装飾体。
【請求項３】
装飾体の上下の比重差が、比重の異なる二つの素材を接合することによって成形されていることを特徴とする請求項１または２記載の装飾体。
【請求項４】
装飾体の上下の比重差が、上方部に空気室を設けることによって形成されていることを特徴とする請求項１または２記載の装飾体。
【請求項５】
装飾体の上下の比重差が、下部に比重の大きいシート状物を貼着することによって形成されていることを特徴とする請求項１または２記載の装飾体。
【請求項６】
装飾体が、内容液より比重の小さい素材を用いて成形され、下部に、内容液より比重の大きい成形体がインサート成形されていることを特徴とする請求項１記載の装飾体。
【請求項７】
装飾体の横巾が、容器の口部の内径より大きくされていることを特徴とする請求項１〜６記載の装飾体。
【請求項８】
装飾体全体の平均比重が内容液の比重より小さいことを特徴とする請求項１〜６記載の装飾体。
【発明の詳細な説明】
【０００１】
【発明の属する技術分野】
本発明は、容器中に挿入する装飾体、とくに内容液中に浮遊する装飾体と、該装飾体を挿入し、外部から鑑賞できるようにした容器に関する。
【０００２】
【従来の技術】
内容液を収納した透明容器中に、透明薄片（２）に装飾模様（３）を施した装飾体（４）を浸積した透明容器は、従来より知られている（例えば、特許文献１参照。）。
【０００３】
【特許文献１】
特開２０００−３３５５８５号公報
【０００４】
【発明が解決しようとする課題】
しかしながら、上記文献１記載の技術では、透明薄片（２）は、透明容器内で反転しない範囲で移動できる大きさとしているので、内容液の使用による液面降下に従い、透明薄片が上下方向に湾曲したり、液面に出たりすることになり、容器内に内容液が満たされているときは装飾模様の見栄えはよいが、少なくなると装飾として役に立たないという問題があった。
また、透明薄片を、反転しないような大きさでなければならないため小さくはできないという問題があった。
【０００５】
本発明は、上記の問題を解決することを課題として、容器の内容液中に挿入され、常に正立状態で浮遊する装飾体を提供することを目的とする。
【０００６】
【課題を解決するための手段】
本発明は、上記の課題を解決するため、装飾体として、少なくとも一部が透明または半透明な容器の透明または半透明な液を含む内容液中に挿入される装飾体であって、該装飾体が、上下に比重差を有していることを特徴とする構成を採用する。
【０００７】
装飾体の実施態様として、装飾体が、シート、フィルムまたは薄肉の板状の成形体から形成され、可撓性を有することを特徴とする構成を採用する。
【０００８】
上下の比重差を形成するための実施態様として、比重の異なる二つの素材と接合することによって成形されていることを特徴とする構成、上方部に空気室を設けることによって形成されていることを特徴とする構成、または、下部に比重の大きいシート状物を貼着することによって形成されていることを特徴とする構成を採用する。
【０００９】
装飾体の別実施態様として、装飾体が、内容液より比重の小さい素材を用いて成形され、下部に、内容液より比重の大きい成形体がインサート成形されていることを特徴とする構成を採用する。
【００１０】
また、装飾体の別実施態様として、装飾体の横巾が、容器の口部の内径より大きくされていることを特徴とする構成を採用する。
【００１１】
装飾体を浮遊させるために、装飾体全体の平均比重が内容液の比重より小さいことを特徴とする構成を採用する。
【００１２】
【発明の実施の形態】
次に、本発明の実施形態について、図面を参照して説明する。
図１において、Ａは内容液を収納した容器、Ｂは内容液中で浮遊する装飾体である。
容器Ａは、口部１と肩部２、胴部３と底部４とからなり、透明または半透明の樹脂で成形されている。
【００１３】
内容液として、透明または半透明の化粧料、洗剤、芳香剤、食料品、飲料などが収納される。
また、内容液として、比重の異なる複数の液体が層状に収納されているものであってもよい。
【００１４】
口部１には、キャップ５が被蓋されている。
胴部３の横断面は、楕円形、または、両端を円弧で切断した楕円形、或いは角部を円弧とした角形、多角形または円形など、任意の形状とすることができる。胴部３の少なくとも一部にはラベル等を貼らないで、胴壁を通じて内部が見えるようになっている。
【００１５】
また、キャップ５に変え、栓蓋、或いは注出筒を具えた中栓、ポンプデスペンサー、トリガー式スプレーなどの取付キャップであってもよい。
【００１６】
図２に示すように、装飾体Ｂは、可撓性のシートまたはフィルムによって形成され、中央部に装飾模様１０が施されており、上方には空気室１１が設けられている。
装飾体Ｂ表面の形状は、図２に示すような三角形、或いは多角形、楕円形、円形等とすることができる。
【００１７】
装飾体Ｂは、表面に装飾模様１０を印刷した二枚のシートまたはフィルム１２ａ，１２ｂを貼り合わせたもので、その一方または双方のシート上部には、１個または複数個の凹部１３が設けられ、シートを貼り合わせた場合には、空気室１１が形成されるようになっている。
【００１８】
二枚のシートまたはフィルム１２ａ，ｂの張り合わせは、接着または溶着によって行われる。
シートの厚さは、装飾体Ｂに可撓性を付与できる範囲であればよく、厚さ２ｍｍ（貼り合わせて４ｍｍ）までのものが使用できるが、厚さ０．０３ｍｍ〜１．５ｍｍのものが好ましい。
【００１９】
上記実施例では、シートまたはフィルム１２を貼り合わせ、空気室１１を形成するようにしているが、別実施例として、図３に示すように、装飾体Ｂａを、内容液より比重の小さい角形の樹脂シート１４の下端に、比重の大きい樹脂シート１５を貼着したもの、或いは、内容液よりやや比重の大きい樹脂シートの上端に比重の小さい樹脂シートを貼着したものとしてもよい。
【００２０】
また、装飾体Ｂａを比重の異なる二つの板状体を溶着、或いは接着することによって形成してもよい。
さらに、上記の比重の小さい樹脂として発泡体を用いることもでき、前記実施例の空気室１１を、発泡体をシートの間に挟んで貼着するようにしたものであってもよい。
【００２１】
装飾体Ｂ，Ｂａの装飾模様１０としては、前記実施例では、花模様を図示したが、植物、動物、人物画等の模様、その他各種キャラクターや文字などを付してもよい。
また、装飾模様は、印刷、転写、ラベルの貼着など、任意の方法で付与することができ、装飾体に凹凸を設けることにより装飾模様を付与してもよい。
【００２２】
また、別実施例として、装飾体を射出成形によって成形することもできる。
図４に示すように、装飾体Ｂｂは、型面に装飾模様を刻設した成形金型、または型面の所要個所に装飾模様を印刷したフィルムを貼着した成形金型の下方に、重り１６となる金属、或いは比重の大きい樹脂等の成形体をインサートし、型内に内容液より比重の小さい成形樹脂１７を射出してインサート成形することによって得られる。
【００２３】
また、反対に比重の小さい成形体をインサートし、比重の大きい樹脂を射出して、全体として内容液の比重より小さくなるようインサート成形してもよい。
さらには、比重の異なる複数の樹脂を、同時に押出し成形、或いは射出成形することにより、上下に比重差を有する装飾体を形成することもできる。
比重の小さい成形体として、発泡体その他、とくに限定されない。
成形体は、薄肉の板状体でも、所望の形状とした成形体であってもよい。
【００２４】
上記実施例では、装飾体Ｂｂが薄肉の板状体で可撓性がある場合には、装飾体Ｂｂの最小巾を容器口部の内径より大きくできるが、装飾体が厚肉となって可撓性がない場合、或いは硬質で可撓性がない樹脂を用いた場合は、装飾体Ｂｂの最小巾を容器口部の内径より小さくする。
【００２５】
装飾体を形成する材料、装飾体の形状、空気室の大きさ等は、内容液の比重、および浮遊位置の設定などによって決定することができる。
装飾体全体の平均比重を内容液の比重より小さくしたときには、装飾体は、その上部を液面上に浮き上がるようにして浮遊させることができる。
液面からの浮遊位置は、装飾体の平均比重を適宜に選択することによって設定できる。
【００２６】
装飾体の大きさは、装飾体の横巾を容器口部１の内径より大きくすることが好ましく、詰め替え容器等に用いた場合には、液注出時に容器を傾けても液の注出とともに飛び出さないようにできる。
また装飾体の最大巾が、口部１の内径より小さい場合は、内容液内に簡単に挿入することができる。
【００２７】
次に本発明の装飾体の使用態様と作用効果について説明する。
装飾体の挿入にあたって、可撓性のあるシートは湾曲させて筒状にできるので、容器Ａの口部１内径が小さい場合でも、容易に挿入することができる。
そして、容器の胴部内に入ると、装飾体は復元して平板状となり、内容液中で浮遊させることができる。
挿入時には、装飾体の上下方向が一定となり、内容液の使用に応じて液面の降下とともに降下する。
【００２８】
装飾体の装飾模様は、液のレンズ効果によって拡大されて鮮明に見え、容器の外側から装飾模様を楽しむことができる。
また、装飾体の上部が内容液の上面から浮き上がるので、胴壁および内容液が透明で液面が見づらい場合に、装飾体が液面の指標となり、内容液の残量を知ることができる。
【００２９】
液を使い切ったときに、詰め替えボトルから新しい内容液を入れるが、挿入されている装飾体は、液の注入とともに上昇し、その上部は再び液面から浮き上がる。
【００３０】
可撓性を有する装飾体の場合には、詰め替え容器に使用することもできるが、装飾体の横巾が容器口部の内径より大きくなっているので、液の詰め替えにあたって、液とともに流出することはない。
【００３１】
前記実施形態では、装飾体を多角形、その他の形状としたが、装飾体の形状を、動物、植物等の造形体とし、上下に比重差を形成するようにしてもよい。
その場合には、装飾体の造形体の高さだけの内容液が入っていれば装飾体が直立した状態で浮くことになり、とくに、上下にのびる植物等の場合には、あたかも植物が容器内に植えられているように見える。
また、容器Ａの裏側に、裏面に装飾体Ｂの装飾模様に見合う背景を印刷したラベルを貼着すると、さらに興趣のある装飾が得られる。
【００３２】
次に、装飾体を内容液内に停止させた別実施形態、装飾体を液底に沈下させた別実施形態について説明する。
前記実施形態では、装飾体全体の平均比重が内容液の比重より少ない場合について説明したが、装飾体全体の平均比重が内容液の比重に同等、またはそれより大きくすこともできる。
【００３３】
装飾体全体の平均比重を内容液の比重と同等とした場合には、装飾体は、液中の任意の位置で停止する。
その位置は、装飾体の挿入時の落下速度と、液体の抵抗との釣り合い位置に停止するが、挿入時に落下速度をゆっくりとしたり、装飾体の形状を液体の抵抗を大きく受けるようにすることによって、液面のすぐ下の位置に浮遊させることもできる。
さらに、容器を振り、内容液を動かすことによって位置を変えることもできる。
【００３４】
また、海中の風景を印刷したラベルを背景に、魚類などの装飾模様を装飾体に施すと興趣ある風景をたのしむことができる。
【００３５】
装飾体全体の平均比重が内容液の比重より大きく、かつ比重の小さい部分が内容液の比重より小さい場合には、装飾体は液中に沈下し、装飾体の下端が容器の底面に載置された状態となる。
この場合に、装飾体を造形体として海藻、或いは海底の動植物等とすると、興趣ある風景を作り出すことができ、さらに海底の風景を印刷したラベルを背景とすると、一層興趣あるものができる。
【００３６】
また、内容液として、比重が異なる複数の液を複数層として収納されている場合には、装飾体の比重を適宜に選定することによって所望する液中に浮遊させることができる。
【００３７】
前記各実施形態において、容器を振ったりしたときに、装飾体が反転するのを阻止するために、装飾体の定位置に、胴部の前後面の距離以上の長さを有する透明な水平支持片を取り付けておいてもよい。
【００３８】
【発明の効果】
本発明は、上記のように構成されているから、次の効果を奏する。
装飾体の上下に比重差を設けたことによって、装飾体の上下位置を決めることができるから、装飾模様を正立した状態に維持することができる。
【００３９】
装飾体の一部を液面から常に浮き上がった状態で内容液中で浮遊するようにした場合、内容液が透明で、液面が見づらいときにも、浮遊体を見ることによって液面の高さを知ることができ、内容液の残量を容易に知ることができる。
【図面の簡単な説明】
【図１】本発明装飾体を挿入した容器である。
【図２】装飾体の説明図で、（ａ）は正面図、（ｂ）は断面側面図である。
【図３】別実施例の説明図で、（ａ）は正面図、（ｂ）は断面側面図である。
【図４】装飾体の他の実施例の説明図で、（ａ）は正面図、（ｂ）は断面側面図である。
【符号の説明】
Ａ      容器
Ｂ、Ｂａ、Ｂｂ  装飾体
１      口部
２      肩部
３      胴部
４      底部
５      キャップ
１０    装飾模様
１１    空気室
１２ａ，ｂ  シートまたはフィルム
１３    凹部
１４、１５  樹脂シート
１６    重り
１７    成形樹脂
【図１】
2004292033.tif 000003
【図２】
2004292033.tif 000004
【図３】
2004292033.tif 000005
【図４】
2004292033.tif 000006